【手続補正書】
【提出日】令和3年10月13日(2021.10.13)
【手続補正１】
【補正対象書類名】特許請求の範囲
【補正対象項目名】全文
【補正方法】変更
【補正の内容】
【特許請求の範囲】
【請求項１】
端末装置の無線通信を中継する中継通信局を含む空中滞在型の通信中継装置を備えるシステムであって、
互いに時間同期され、前記空中滞在型の通信中継装置の前記中継通信局との間のフィーダリンクにおいて同一周波数で互いに異なる中継信号を送受信する複数のゲートウェイ局を備え、
前記中継通信局は、前記複数のゲートウェイ局との間のフィーダリンクにおいて同一周波数で互いに異なる中継信号を送受信するフィーダリンク通信部と、前記複数のゲートウェイ局との間に形成する複数のフィーダリンク間の干渉を抑圧する干渉抑圧部とを備え、
前記中継通信局の前記フィーダリンク通信部は、前記複数のゲートウェイ局それぞれに互いに異なる周波数の複数のパイロット信号を送信し、
前記複数のゲートウェイ局はそれぞれ、前記中継通信局から送信された前記複数のパイロット信号を受信し、
前記複数のゲートウェイ局のいずれか一つのゲートウェイ局又は各ゲートウェイ局に共通の共通装置は、
前記複数のパイロット信号の受信結果に基づいて、前記フィーダリンクの送信信号帯域における前記ゲートウェイ局と前記通信中継装置のフィーダリンク用アンテナとの間の複数の伝搬路応答を推定し、
前記伝搬路応答の推定結果を前記中継通信局に送信し、
前記中継通信局の前記フィーダリンク通信部は、前記いずれか一つのゲートウェイ局又前記共通装置から送信された前記複数の伝搬路応答を受信し、
前記中継通信局の前記干渉抑圧部は、
前記複数の伝搬路応答に基づいて、前記複数のゲートウェイ局それぞれについて、前記中継通信局から前記ゲートウェイ局に送信した送信信号が他のゲートウェイ局で受信されて干渉する干渉信号を抑圧するためのウェイトを計算し、
前記複数のゲートウェイ局それぞれについて、前記ゲートウェイ局に送信する送信信号から、他のゲートウェイ局に送信する送信信号に前記他のゲートウェイ局に対応する前記ウェイトを掛けて加算又は減算する、
ことを特徴とするシステム。
【請求項２】
請求項１のシステムにおいて、
前記複数のゲートウェイ局はそれぞれ、
前記中継通信局から送信された前記複数のパイロット信号を受信し、前記受信した複数のパイロット信号をそれぞれフィルターで分離し、
前記フィーダリンクの送信信号帯域を複数の分割帯域に分割し、前記中継通信局から受信して分離した前記パイロット信号の受信結果に基づいて、前記フィーダリンクの送信信号帯域における前記ゲートウェイ局と前記通信中継装置のフィーダリンク用アンテナとの間の伝搬路応答を、前記複数の分割帯域それぞれの中心周波数を推定周波数として、前記複数の分割帯域それぞれについて推定し、
前記複数の分割帯域それぞれの前記伝搬路応答の推定結果を前記中継通信局に送信し、
前記中継通信局の前記フィーダリンク通信部は、前記複数のゲートウェイ局それぞれから送信された前記複数の分割帯域それぞれの前記伝搬路応答の推定結果を受信し、
前記中継通信局の前記干渉抑圧部は、
前記複数のゲートウェイ局それぞれから受信した前記複数の分割帯域それぞれの前記伝搬路応答に基づいて、前記複数のゲートウェイ局それぞれについて、前記分割帯域ごとに、前記中継通信局から前記ゲートウェイ局に送信した送信信号が他のゲートウェイ局で受信されて干渉する干渉信号を抑圧するためのウェイトを計算し、
前記複数のゲートウェイ局それぞれについて、前記分割帯域ごとに、前記ゲートウェイ局に送信する送信信号から、他のゲートウェイ局に送信する送信信号に前記他のゲートウェイ局に対応する前記ウェイトを掛けて加算又は減算して分割送信信号を生成し、前記複数の分割帯域の分割送信信号を合成して送信信号を生成する、ことを特徴とするシステム。
【請求項３】
端末装置の無線通信を中継する中継通信局を含む空中滞在型の通信中継装置を備えるシステムであって、
互いに時間同期され、前記空中滞在型の通信中継装置の前記中継通信局との間のフィーダリンクにおいて同一周波数で互いに異なる中継信号を送受信する複数のゲートウェイ局を備え、
前記中継通信局は、前記複数のゲートウェイ局との間のフィーダリンクにおいて同一周波数で互いに異なる中継信号を送受信するフィーダリンク通信部と、前記複数のゲートウェイ局との間に形成する複数のフィーダリンク間の干渉を抑圧する干渉抑圧部とを備え、
前記中継通信局の前記フィーダリンク通信部は、前記複数のゲートウェイ局それぞれに互いに異なる周波数の複数のパイロット信号を送信し、
前記複数のゲートウェイ局はそれぞれ、
前記中継通信局から送信された前記複数のパイロット信号を受信し、
前記複数のパイロット信号の受信結果を前記中継通信局に送信し、
前記中継通信局の前記フィーダリンク通信部は、前記複数のゲートウェイ局それぞれから送信された前記複数のパイロット信号の受信結果を受信し、
前記中継通信局の前記干渉抑圧部は、
前記複数のゲートウェイ局それぞれから受信した前記複数のパイロット信号の受信結果に基づいて、前記フィーダリンクの送信信号帯域における前記ゲートウェイ局と前記通信中継装置のフィーダリンク用アンテナとの間の複数の伝搬路応答を推定し、
前記複数の伝搬路応答の推定結果に基づいて、前記複数のゲートウェイ局それぞれについて、前記中継通信局から前記ゲートウェイ局に送信した送信信号が他のゲートウェイ局で受信されて干渉する干渉信号を抑圧するためのウェイトを計算し、
前記複数のゲートウェイ局それぞれについて、前記ゲートウェイ局に送信する送信信号から、他のゲートウェイ局に送信する送信信号に前記他のゲートウェイ局に対応する前記ウェイトを掛けて加算又は減算する、
ことを特徴とするシステム。
【請求項４】
端末装置の無線通信を中継する中継通信局を含む空中滞在型の通信中継装置を備えるシステムであって、
互いに時間同期され、前記空中滞在型の通信中継装置の前記中継通信局との間のフィーダリンクにおいて同一周波数で互いに異なる中継信号を送受信する複数のゲートウェイ局を備え、
前記中継通信局は、前記複数のゲートウェイ局との間のフィーダリンクにおいて同一周波数で互いに異なる中継信号を送受信するフィーダリンク通信部と、前記複数のゲートウェイ局との間に形成する複数のフィーダリンク間の干渉を抑圧する干渉抑圧部とを備え、
前記中継通信局の前記フィーダリンク通信部は、前記複数のゲートウェイ局それぞれに互いに異なる周波数の複数のパイロット信号を送信し、
前記複数のゲートウェイ局はそれぞれ、前記中継通信局から送信された前記複数のパイロット信号を受信し、
前記複数のゲートウェイ局のいずれか一つのゲートウェイ局又は各ゲートウェイ局に共通の共通装置は、
前記複数のパイロット信号の受信結果に基づいて、前記フィーダリンクの送信信号帯域における前記ゲートウェイ局と前記通信中継装置のフィーダリンク用アンテナとの間の複数の伝搬路応答を推定し、
前記複数の伝搬路応答の推定結果に基づいて、前記複数のゲートウェイ局それぞれについて、前記中継通信局から前記ゲートウェイ局に送信した送信信号が他のゲートウェイ局で受信されて干渉する干渉信号を抑圧するためのウェイトを計算し、
前記ウェイトの計算結果を前記中継通信局に送信し、
前記中継通信局の前記フィーダリンク通信部は、前記いずれか一つのゲートウェイ局又前記共通装置から送信された前記複数のウェイトの計算結果を受信し、
前記中継通信局の前記干渉抑圧部は、前記複数のゲートウェイ局それぞれについて、前記ゲートウェイ局に送信する送信信号から、他のゲートウェイ局に送信する送信信号に前記他のゲートウェイ局に対応する前記ウェイトを掛けて加算又は減算する、
ことを特徴とするシステム。
【請求項５】
請求項１乃至４のいずれかのシステムにおいて、
前記複数のパイロット信号は、前記フィーダリンクの送信信号帯域の両隣に位置する複数のガードバンドに分散されて送信されることを特徴とするシステム。
【請求項６】
請求項１乃至５のいずれかのシステムにおいて、
前記複数のゲートウェイ局又は前記中継通信局の前記干渉抑圧部は、前記フィーダリンクの送信信号帯域の中心周波数又はその周辺の周波数において、前記複数の伝搬路応答を推定して前記複数のウェイトを計算する、ことを特徴とするシステム。
【請求項７】
空中滞在型の通信中継装置に組み込まれ端末装置の無線通信を中継する中継通信局であって、
互いに時間同期された複数のゲートウェイ局との間のフィーダリンクにおいて同一周波数で互いに異なる中継信号を送受信するフィーダリンク通信部と、
前記複数のゲートウェイ局との間に形成する複数のフィーダリンク間の干渉を抑圧する干渉抑圧部と、を備え、
前記フィーダリンク通信部は、
前記複数のゲートウェイ局それぞれに互いに異なる周波数の複数のパイロット信号を送信し、
前記複数のゲートウェイ局のいずれか一つのゲートウェイ局又は各ゲートウェイ局に共通の共通装置が前記複数のパイロット信号の受信結果に基づいて推定した前記フィーダリンクの送信信号帯域における前記ゲートウェイ局と前記通信中継装置のフィーダリンク用アンテナとの間の複数の伝搬路応答の推定結果を受信し、
前記干渉抑圧部は、
前記いずれか一つのゲートウェイ局又は前記共通装置から受信した前記複数の伝搬路応答に基づいて、前記複数のゲートウェイ局それぞれについて、前記中継通信局から前記ゲートウェイ局に送信した送信信号が他のゲートウェイ局で受信されて干渉する干渉信号を抑圧するためのウェイトを計算し、
前記複数のゲートウェイ局それぞれについて、前記ゲートウェイ局に送信する送信信号から、他のゲートウェイ局に送信する送信信号に前記他のゲートウェイ局に対応する前記ウェイトを掛けて加算又は減算する
ことを特徴とする中継通信局。
【請求項８】
空中滞在型の通信中継装置に組み込まれ端末装置の無線通信を中継する中継通信局であって、
互いに時間同期された複数のゲートウェイ局との間のフィーダリンクにおいて同一周波数で互いに異なる中継信号を送受信するフィーダリンク通信部と、
前記複数のゲートウェイ局との間に形成する複数のフィーダリンク間の干渉を抑圧する干渉抑圧部と、を備え、
前記フィーダリンク通信部は、
前記複数のゲートウェイ局それぞれに互いに異なる周波数の複数のパイロット信号を送信し、
前記複数のゲートウェイ局それぞれが受信した前記複数のパイロット信号の受信結果を受信し、
前記干渉抑圧部は、
前記複数のゲートウェイ局それぞれから受信した前記複数のパイロット信号の受信結果に基づいて、前記フィーダリンクの送信信号帯域における前記ゲートウェイ局と前記通信中継装置のフィーダリンク用アンテナとの間の複数の伝搬路応答を推定し、
前記複数の伝搬路応答の推定結果に基づいて、前記複数のゲートウェイ局それぞれについて、前記中継通信局から前記ゲートウェイ局に送信した送信信号が他のゲートウェイ局で受信されて干渉する干渉信号を抑圧するためのウェイトを計算し、
前記複数のゲートウェイ局それぞれについて、前記ゲートウェイ局に送信する送信信号から、他のゲートウェイ局に送信する送信信号に前記他のゲートウェイ局に対応する前記ウェイトを掛けて加算又は減算する
ことを特徴とする中継通信局。
【請求項９】
空中滞在型の通信中継装置に組み込まれ端末装置の無線通信を中継する中継通信局であって、
互いに時間同期された複数のゲートウェイ局との間のフィーダリンクにおいて同一周波数で互いに異なる中継信号を送受信するフィーダリンク通信部と、
前記複数のゲートウェイ局との間に形成する複数のフィーダリンク間の干渉を抑圧する干渉抑圧部と、を備え、
前記フィーダリンク通信部は、
前記複数のゲートウェイ局それぞれに互いに異なる周波数の複数のパイロット信号を送信し、
前記複数のゲートウェイ局のいずれか一つのゲートウェイ局又は各ゲートウェイ局に共通の共通装置が前記複数のパイロット信号の受信結果に基づいて前記複数のゲートウェイ局それぞれについて計算した、前記中継通信局から前記ゲートウェイ局に送信した送信信号が他のゲートウェイ局で受信されて干渉する干渉信号を抑圧するためのウェイトの計算結果を受信し、
前記干渉抑圧部は、前記複数のゲートウェイ局それぞれについて、前記ゲートウェイ局に送信する送信信号から、他のゲートウェイ局に送信する送信信号に前記他のゲートウェイ局に対応する前記ウェイトを掛けて加算又は減算する、
ことを特徴とする中継通信局。
【請求項１０】
空中滞在型の通信中継装置に組み込まれ端末装置の無線通信を中継する中継通信局との間のフィーダリンクにおいて同一周波数で互いに異なる中継信号を送受信するゲートウェイ局であって、
前記中継通信局との間のフィーダリンクにおいて前記同一周波数で中継信号を送受信する他のゲートウェイ局と時間同期され、
前記中継通信局から送信された互いに異なる周波数の複数のパイロット信号を受信し、
前記中継通信局から送信された互いに異なる周波数の複数のパイロット信号を前記他のゲートウェイ局が受信した受信結果を、前記他のゲートウェイ局から受信し、
自局及び前記他のゲートウェイ局が受信した前記複数のパイロット信号の受信結果に基づいて、前記フィーダリンクの送信信号帯域における自局及び前記他のゲートウェイ局と前記通信中継装置のフィーダリンク用アンテナとの間の複数の伝搬路応答を推定し、
前記複数の伝搬路応答の推定結果に基づいて、前記複数のゲートウェイ局それぞれについて、前記中継通信局から前記ゲートウェイ局に送信した送信信号が他のゲートウェイ局で受信されて干渉する干渉信号を抑圧するためのウェイトを計算する、
ことを特徴とするゲートウェイ局。
【請求項１１】
空中滞在型の通信中継装置に組み込まれ端末装置の無線通信を中継する中継通信局におけるフィーダリンクの干渉抑圧方法であって、
互いに時間同期された複数のゲートウェイ局それぞれに互いに異なる周波数の複数のパイロット信号を送信することと、
前記複数のゲートウェイ局それぞれが受信した前記複数のパイロット信号の受信結果を受信することと、
前記複数のパイロット信号の受信結果に基づいて、前記フィーダリンクの送信信号帯域における前記ゲートウェイ局と前記通信中継装置のフィーダリンク用アンテナとの間の複数の伝搬路応答を推定することと、
前記複数の伝搬路応答の推定結果に基づいて、前記複数のゲートウェイ局それぞれについて、前記中継通信局から前記ゲートウェイ局に送信した送信信号が他のゲートウェイ局で受信されて干渉する干渉信号を抑圧するためのウェイトを計算することと、
前記複数のゲートウェイ局それぞれについて、前記ゲートウェイ局に送信する送信信号から、他のゲートウェイ局に送信する送信信号に前記他のゲートウェイ局に対応する前記ウェイトを掛けて加算又は減算することと、
を含むことを特徴とする干渉抑圧方法。
【請求項１２】
空中滞在型の通信中継装置に組み込まれ端末装置の無線通信を中継する中継通信局に設けられたコンピュータ又はプロセッサで実行されるプログラムであって、
互いに時間同期された複数のゲートウェイ局それぞれに互いに異なる周波数の複数のパイロット信号を送信するためのプログラムコードと、
前記複数のゲートウェイ局それぞれが受信した前記複数のパイロット信号の受信結果に基づいて前記複数のゲートウェイ局のいずれか一つのゲートウェイ局又は各ゲートウェイ局に共通の共通装置が推定したフィーダリンクの送信信号帯域における前記ゲートウェイ局と前記通信中継装置のフィーダリンク用アンテナとの間の複数の推定した複数の伝搬路応答の推定結果を受信するためのプログラムコードと、
前記いずれか一つのゲートウェイ局又は前記共通装置から受信した前記複数の伝搬路応答に基づいて、前記複数のゲートウェイ局それぞれについて、前記中継通信局から前記ゲートウェイ局に送信した送信信号が他のゲートウェイ局で受信されて干渉する干渉信号を抑圧するためのウェイトを計算するためのプログラムコードと、
前記複数のゲートウェイ局それぞれについて、前記ゲートウェイ局に送信する送信信号から、他のゲートウェイ局に送信する送信信号に前記他のゲートウェイ局に対応する前記ウェイトを掛けて加算又は減算するためのプログラムコードと、
を含むことを特徴とするプログラム。